【手続補正書】
【提出日】平成15年12月26日(2003.12.26)
【手続補正１】
【補正対象書類名】明細書
【補正対象項目名】全文
【補正方法】変更
【補正の内容】
【発明の名称】パチンコ遊技機
【特許請求の範囲】
【請求項１】支持枠体と、
同支持枠体に支持され少なくとも前面に遊技面が形成された遊技盤と遊技球発射機構が形成された遊技機本体と、
同遊技機本体又は球貸し機から排出されたパチンコ球を受ける上受け皿が形成され同遊技面の下方に前方に突出して配置された第１の球受け部と、
同遊技機本体又は上受け皿から排出された同パチンコ球を受ける下受け皿が形成され同第１の球受け部の下方に前方に突出して配置された第２の球受け部と、を備え、
前記第１の球受け部を遊技面の大型化に伴って下方に移動させ同第１の球受け部と第２の球受け部との間隔を通常の機種と比較して狭めたパチンコ遊技機において、
前記第２の球受け部の下受け皿上方に前記第１の球受け部の上受け皿が配置されないように同上受け皿及び下受け皿を互いに左右方向にずれた位置に配置したことを特徴とするパチンコ遊技機。
【請求項２】前記第１の球受け部の下方には前記上受け皿から同パチンコ球の供給を受けることで前記遊技盤の大型遊技面に同パチンコ球を発射させる操作ハンドルを配置したことを特徴とする請求項に記載のパチンコ遊技機。
【発明の詳細な説明】
【０００１】
【発明の属する技術分野】
本発明は、パチンコ遊技機に関し、特に上受け皿と下受け皿を備えるとともにパチンコ遊技機に関するものである。
【０００２】
【従来の技術】
パチンコ遊技機においては遊技者の興趣をより盛り上げるため、従来より種々の工夫がなされている。その１つとして遊技面を大きくする工夫が試みられている。遊技面が大型化することにより遊技面中央に配置される表示装置の液晶画面を大きくすることが可能となり、迫力ある大画面を遊技者は享受でき遊技者に対するアピール度が増すことが考えられる。また、遊技面が大きくなることは左右への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなる。
【０００３】
【発明が解決しようとする課題】
しかし、ホール側では島の大きさや各パチンコ遊技機の高さ・幅等が規格としてほぼ決まっているためパチンコ遊技機を設置するとしても一般的にはパチンコ遊技機の外形構成を大きく変更することはできない。そのため、従来のパチンコ遊技機の大きさのままで遊技面の大型化を検討することとなる。その場合にどうしても遊技面以外の他の構成部材の寸法にしわ寄せが生じてしまうこととなる。
例えば、上下方向に遊技面が広がるため、従来の位置に配置されていた上受け皿はより下受け皿に接近した位置に移動して配置させられることとなる。ところが、接近しすぎるとこの間が狭すぎて下受け皿のパチンコ球を取り出す際に平手ではこの隙間に十分挿入できたとしても、球を握って抜き出す際には手の厚みが増す（げんこつを握ることとなるので）ため、上受け皿が邪魔となってパチンコ球を取り出しにくくなるというおそれがあった。
本発明は、このような従来の技術に存在する問題点に着目してなされたものである。その目的とするところは、大型遊技面を備えるようにしたことで第１の球受け部と第２の球受け部とが接近することになっても第２の球受け部の下受け皿からパチンコ球を手で握って取り出す際に手が狭くなった両球受け部間につかえることのないパチンコ遊技機を提供することにある。
【０００４】
【課題を解決するための手段】
上記の目的を達成するために、請求項１に記載の発明では、支持枠体と、同支持枠体に支持され少なくとも前面に遊技面が形成された遊技盤と遊技球発射機構が形成された遊技機本体と、同遊技機本体又は球貸し機から排出されたパチンコ球を受ける上受け皿が形成され同遊技面の下方に前方に突出して配置された第１の球受け部と、同遊技機本体又は上受け皿から排出された同パチンコ球を受ける下受け皿が形成され同第１の球受け部の下方に前方に突出して配置された第２の球受け部とを備え、前記第１の球受け部を遊技面の大型化に伴って下方に移動させ同第１の球受け部と第２の球受け部との間隔を通常の機種と比較して狭めたパチンコ遊技機において、前記第２の球受け部の下受け皿上方に前記第１の球受け部の上受け皿が配置されないように同上受け皿及び下受け皿を互いに左右方向にずれた位置に配置したことことをその要旨とする。
また、請求項２に記載の発明では請求項１に記載の発明の構成に加え、前記第１の球受け部の下方には前記上受け皿から同パチンコ球の供給を受けることで前記遊技盤の大型遊技面に同パチンコ球を発射させる操作ハンドルを配置したことをその要旨とする。
【０００５】
上記発明のように構成すると、遊技面が大型化することで第１の球受け部が下方に移動させられ、その結果第１の球受け部と第２の球受け部との間隔が通常の機種と比較して狭められることとなる。しかし、上受け皿と下受け皿を互いに左右方向にずれた位置とすることで第２の球受け部の下受け皿の上方が開放されるため下受け皿内のパチンコ球を握って取り出す際に第１の球受け部と第２の球受け部との間に手が当たったり引っかかったりすることがない。また、そのような不都合が生じないように遊技者が手を不自然な形で両球受け部間に挿入させられるのを強いられることもない。
【０００６】
【発明の効果】
上記各請求項に記載の発明では、遊技者が下受け皿のパチンコ球を握って取り出す際に自然な形でパチンコ球を掴むことができ、手が両球受け部間につかえてパチンコ球を取り落としたり取り落とさないように気を使ったりする必要がなく遊技が中断されたり遊技の興趣がそがれたりといった問題が解消される。
【０００７】
【発明の実施の形態】
（実施の形態１）
以下、本発明のパチンコ遊技機（いわゆるＣＲ機）の実施の形態１について図面に基づいて説明する。尚、以下の説明で前面側或いは表面側とは遊技者が正対する側をいい、背面側或いは裏面側とはその反対側をいうものとする。また、左右とは遊技者側から見ての左右方向をいう。また、以下において遊技球とは実際に盤面に発射されたパチンコ球あるいは発射するべくその準備段階にあるパチンコ球をいう。
図３及び図４に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。図３及び図４に示すように、外枠１には遊技機本体としてのパチンコ遊技機本体４が装着されている。パチンコ遊技機本体４には遊技盤５が装着されている。図１及び図４に示すように、遊技盤５の前面にはほぼ垂直に配置された遊技面９が形成されている。遊技面９上には内レール１０、外レール１１、入賞口１２び可変表示装置１３等が所定位置に配置された遊技領域１４が形成されている。尚、釘については図示が省略されている。図３に示すように、遊技盤１２の裏面側には可変表示装置１３や賞球の排出等を制御する遊技機構１５が配設されている。パチンコ遊技機本体４において遊技機構１５の下方には発射モータ１６を駆動源とする遊技球発射機構（図示せず）が配設されている。
【０００８】
図１に示すように、遊技盤５の前面には扉枠１７が開閉可能に配設されている。扉枠１７の左右幅は外枠１の左右の枠板１ｃ，１ｄの外側面間の間隔と対応している。すなわち扉枠１７の幅はパチンコ遊技機全体の全幅と同等である。扉枠１７の上下高さは外枠１の上下の枠板１ａ，１ｂ外側面間の間隔、すなわちパチンコ遊技機の全長の約８０パーセントとされ、扉枠１７の上端は上部枠板１ａの上端と面一とされている。扉枠１７には額縁状に形成された大径の窓穴１８が形成されており、同窓穴１８にはガラス板１９が嵌め込まれている。同窓穴１８周縁には装飾用のパネル２０やＬＥＤ（図示省略）が配設されている。
【０００９】
窓穴１８の下方には第１の球受け部２１が扉枠１７と一体成形により形成されている。第１の球受け部２１上面には上受け皿２２が形成されている。第１の球受け部２１については詳しく後述する。窓穴１８と第１の球受け部２１との間にはＣＲ機におけるカード度数を表示するデジタル表示部２３が配設され、同デジタル表示部２３の両側には球貸しボタン２４とカード返却ボタン２５がそれぞれ配設されている。
第１の球受け部２１の下方には下部カバープレート２６が配設されている。下部カバープレート２６はパチンコ遊技機本体４に対して固着されている。下部カバープレート２６は前方に突出した第２の球受け部２７を有している。第２の球受け部２７上面は包囲壁２９及び背面壁３０に包囲された下受け皿２８とされている。下受け皿２８は主として上受け皿２２に貯留しきれなかったパチンコ球（主として賞球）を貯留するものである。背面壁３０にはパチンコ球排出口３３が形成されている。下受け皿２８の左側方には灰皿３１が配設されている。下受け皿２８の右側方には操作ハンドル３２が取付けられている。両球受け部２１，２７の間であって右方寄りにはパチンコ球を上受け皿２２から下受け皿２８に移動させるためのパチンコ球移動レバー３４が配設されている。
【００１０】
次に第１の球受け部２１周辺の構成について更に詳しく説明する。
第１の球受け部２１は扉枠１７前面から前方に向かって突出させられており、灰皿３１から操作ハンドル３２に至る下方の配設部材の上方を横切るように左右方向に長く延出されている。第１の球受け部２１の上面は包囲壁３５に包囲された上受け皿２２とされている。上受け皿２２の背面には背面壁３６が配設されている。図２及び図４に示すように、背面壁３６には賞球排出口３７及び図示しない遊技球発射機構に遊技球を導く遊技球案内機構３８が設けられており、第１の球受け部２１は扉枠１７のちょうどこの賞球排出口３７及び遊技球案内機構３８に対応する前面側位置に配置される。上受け皿２２の左寄りは賞球排出口３７に面した球溜まり３９とされている。図３に示すように、球溜まり３９から右方に向かっては徐々に狭まる狭窄通路４０とされている。パチンコ球は狭窄通路４０に至って徐々に一列に整列させられ遊技球案内機構３８に導かれる。狭窄通路４０左寄り上方は封塞されず上方に開口されている。狭窄通路４０と球溜まり３９を包囲する包囲壁３５部分は外方に膨出した曲面を有する凸状壁３５ａとされ、狭窄通路４０を包囲する包囲壁３５部分は内方に窪んだ曲面を有する凹状壁３５ｂとされている。従って、上受け皿２２に溜まったパチンコ球は球溜まり３９からなだらかな曲面に沿って滞ることなく徐々に狭窄通路４０に導かれていく。図３に示すように、この凹状壁３５ｂによって切り欠かれたような窪み部分を切り欠き部４１とする。
上受け皿２２ではパチンコ球を右方に導くため賞球排出口３７に面した側（左側）が高く遊技球案内機構３８側（右側）ほど低く形成されている。
【００１１】
次に、このように構成された第１の球受け部２１と第２の球受け部２７との位置関係について説明する。
現状におけるパチンコ遊技機の縦寸法は８１０ｍｍ、横寸法は５１５ｍｍとされこれは実施の形態１も従来のパチンコ遊技機も同寸である。図１に示すように、本実施の形態では下部枠板１ｂの下端面から第１の球受け部２１の包囲壁３１の下端面までの長さＰは２２５ｍｍとされている。また、下部枠板１ｂの下端面から第２の球受け部２７の包囲壁２９の上端面の最低部までの長さＱは９０ｍｍとされている。また、下部枠板１ｂの下端面から第２の球受け部２７の包囲壁２９の上端面の最高部までの長さＲ（下部カバープレート２６の表面における位置）は１０３ｍｍとされている。すなわち、第１及び第２の球受け部２１，２７間の間隔はもっとも広い箇所において１３５ｍｍとされ、もっとも狭い箇所において１２２ｍｍとされる。また、上部枠板１ａの上端面から第１の球受け部２１の包囲壁３１の上端面までの長さＳは５４５ｍｍとされている。
これに対し、本実施の形態１と比較した大型遊技面を有さない通常のパチンコ遊技機においては例えば上記Ｐは２４５ｍｍ、Ｑは９０ｍｍ（つまり、第２の球受け部２７の高さは同じ）Ｓは５１５ｍｍであった。すなわち、通常のパチンコ遊技機の第１の球受け部と第２の球受け部の間隔はもっとも広い箇所において１５５ｍｍであった。尚、これらパチンコ遊技機のサイズは一例として挙げたものでありこれら以外にも種々のサイズが存する。
【００１２】
ここに、図３の破線Ｌで示すように、上受け皿２２の球溜まり３９の面積を右方まで拡大するとする（つまり、狭窄通路４０の領域をなくするか極めて少なくする）。すると、確かに上受け皿２２における面積が増大し、上受け皿２２に収容できるパチンコ球は増大する。しかし、完全に第１の球受け部２１が下受け皿２８を覆ってしまい、特に上記のような程度の間隔では遊技者にとって第１及び第２の球受け部２１，２７間の間隔が狭いといわざるをえない。この程度の隙間では下受け皿２８に手を入れてパチンコ球を掴み上受け皿２２にこのパチンコ球を戻すという作業、あるいは箱に移し替えるという作業を素早くかつ繰り返し行う際にはどうしても手の甲や指が第１の球受け部２１の下側に当たってしまうこととなる。
つまり、図５（ａ）に示すように、縁のある皿から物をすくい取るという作業においては人は若干手を立てるようにして皿に手を入れ、やはり図５（ｂ）に示すように斜めに引き上げるように戻すのが自然である。また、この際に人によっては手首を回して若干手を捻ることも考えられこの場合は更に余裕が必要となる。これを図６のように横方向から手を挿入して指と手のひらで挟みながらパチンコ球を掴むやり方ではかえってパチンコ球をしっかり握ることができず取り落としてしますこととなる。一見すると上記程度の隙間なら手を挿入できるので十分であるかと思われるが、実際には単に手の厚み分があれば足るというものではなく、手の構造上から無理なくパチンコ球を取り出すためにはかなりな余裕が求められるものである。
ところが、図３に示すように本実施の形態１では凸状壁３５ａから凹状壁３５ｂに移行する変曲点が下受け皿２８の若干左位置に配置され、ここから切り欠き部４１が開始されるため下受け皿２８上方はほぼすべてが開放されている（わずかに下受け皿２８の左後方寄り部分のみ第１の球受け部２１に覆われる）。従って、遊技者は下受け皿２８に手を入れる際に上方に十分な余裕があることから手の甲や指が第１の球受け部２１の下側に当たってしまうことはない。
【００１３】
このように構成することにより本実施の形態１は次のような効果を奏する。
（１）遊技者が遊技中に下受け皿２８内のパチンコ球を取り出す際に切り欠き部４１があるので第１の球受け部２１が邪魔にならずに自然な形で手を出し入れすることができストレスを感じず、遊技に集中できる。
（２）包囲壁３５は凸状壁３５ａから凹状壁３５ｂになだらかにカーブが続いており球溜まり３９内に流れ出したパチンコ球を遊技球案内機構３８側にスムーズに案内することができ、さらに狭窄通路４０に至ったパチンコ球は上方が開口されているため球詰まりが生じた場合には狭窄通路４０内のパチンコ球を指でつついて正常に修正することが可能となる。
（３）第１の球受け部２１は横方向に延出され、その右端は操作ハンドル３２の上部までかかっている。しかし、上記実施の形態では操作ハンドル３２の上部まで切り欠き部４１として切りかかれているため、遊技者が上方から操作ハンドル３２を見る際に第１の球受け部２１が邪魔となることがない。
（４）第１の球受け部２１は扉枠１７に一体的に形成されているため、別体で構成したカバープレートが不要となり、第１の球受け部２１に関する部材点数が減るためコストの削減となる。
【００１４】
（実施の形態２）
次に実施の形態２について説明する。尚、実施の形態２では第１の球受け部４５周辺の構造が異なるのみで他の構成部材は実施の形態１とまったく同じである。そのため、実施の形態２においては実施の形態１と同じ構成部材について同じ番号を付し、詳しい説明は省略する。
図７及び８に示すように、第１の球受け部４５は窓穴１８の下方左寄りに扉枠１７と一体成形により形成されている。
第１の球受け部４５は扉枠１７前面から前方に向かって突出させられており、第２の球受け部２７の灰皿３１から若干下受け皿２８の左端にかかる程度までこれら下方の配設部材の上方を横切るように左右方向に延出されている。第１の球受け部４５上面には上受け皿４６が形成されている。上受け皿４６は球溜まり４７を備え、包囲壁４８により包囲されている。上受け皿４６の背面には背面壁４９が配設されている。背面壁４９には賞球排出口３７及び遊技球導出口５２が設けられている。遊技球導出口５２は遊技球を扉枠１７裏面側に配設された図示しない狭窄通路に導く。狭窄通路に至った遊技球は更に遊技球案内機構３８（図４参照）に導かれる。第１の球受け部４５は扉枠１７のちょうどこの賞球排出口３７及び遊技球通過口５２に対応する前面側位置に配置される。
第１の球受け部４５の球溜まり４７はパチンコ球を右方に導くため賞球排出口３７に面した側（左側）が高く遊技球導出口５２側（右側）ほど低く形成されている。
【００１５】
このように構成された実施の形態２のパチンコ遊技機も図７に示すように、下部枠板１ｂの下端面から第１の球受け部４５の包囲壁４８の下端面までの長さＰは２２５ｍｍとされている。また、下部枠板１ｂの下端面から第２の球受け部２７の包囲壁２９の上端面の最低部までの長さＱは９０ｍｍとされている。また、下部枠板１ｂの下端面から第２の球受け部２７の包囲壁２９の上端面の最高部までの長さＴ（下部カバープレート２６の表面における位置）は１０３ｍｍとされている。すなわち、実施の形態１と同様に第１の球受け部４５と第２の球受け部２７間の間隔はもっとも広い箇所において１３５ｍｍとされ、もっとも狭い箇所において１２２ｍｍとされる。また、上記長さＳは５４５ｍｍとされている。
図７及び図８に示すように、本実施の形態２では下受け皿２８上方において第１の球受け部４５は存在せずほぼすべてが開放されている（わずかに下受け皿２８の左後方寄り部分のみ第１の球受け部４５に覆われる）。従って、遊技者は下受け皿２８に手を入れる際に上方に十分な余裕があることから手の甲や指が第１の球受け部４５の下側に当たってしまうことはない。すなわち自然な形で手を出し入れすることができストレスを感じず、遊技に集中できることとなる。
【００１６】
尚、この発明は、次のように変更して具体化することも可能である。
・上記実施の形態では第１の球受け部２１には操作ハンドル３２が設けられた右寄りに前記切り欠き部４１が形成されていた。しかし、これは特に下受け皿２８が開放されれば右寄り全域を切り欠く必要はない。例えば中央寄りに切り欠き部４１を設けることも可能である。
・包囲壁３５，４８の形状を変更することは自由である。
・本実施の形態はＣＲ機に応用した。ＣＲ機では一般に賞球排出口３７から遊技者にパチンコ球を貸すが、球貸し機を併設して直接球溜まり３９上にノズルからパチンコ球を貸すいわゆる現金機のような機種に応用することも自由である。  ・第１の球受け部２１，４５は扉枠１７と一体的に成形されていたが、これを別体で構成したカバープレートに形成するようにしてもよい。
・第１の球受け部２１，４５と第２の球受け部２７の間隔は上記実施の形態に限定されない。要は大型の遊技面９を備える結果、第１の球受け部２１，４５を下方に移動させざるを得ない機種であって遊技者が位置に下受け皿からパチンコ球を取り出すのに両球受け部間が狭くストレスを感じるような機種に応用できればよい。その他、本発明の趣旨を逸脱しない態様で実施することは自由である。
【００１７】
上記実施の形態から把握できる本発明のその他の技術的思想について下記に付記として説明する。
（１）支持枠体と、同支持枠体に支持され少なくとも前面に大型遊技面が形成された遊技盤と遊技球発射機構が形成された遊技機本体と、同遊技機本体又は球貸し機から排出されたパチンコ球を受ける上受け皿が形成され同大型遊技面の下方に前方に突出するとともに同支持枠体の左右幅方向に延設配置された第１の球受け部と、同遊技機本体又は上受け皿から排出された同パチンコ球を受ける下受け皿が形成され同第１の球受け部の下方に前方に突出するとともに同第１の球受け部と重複状に配置された第２の球受け部とを備え、前記第１の球受け部を遊技面の大型化に伴って下方に移動させ同第１の球受け部と第２の球受け部との間隔を通常の機種と比較して狭めたパチンコ遊技機において、前記第１の球受け部に切り欠き部を形成し、同切り欠き部が前記第２の球受け部の下受け皿上方に配置されるようにしたことを特徴とするパチンコ遊技機。
このように構成すると、遊技盤が大型化することで第１の球受け部が下方に移動させられ、その結果第１の球受け部と第２の球受け部との間隔が通常の機種と比較して狭められることとなる。しかし、第２の球受け部の下受け皿の上方に第１の球受け部の切り欠き部が配置されることとなるため第２の球受け部の下受け皿の上方が開放され下受け皿内のパチンコ球を握って取り出す際に第１の球受け部と第２の球受け部との間に手が当たったり引っかかったりすることがない。また、そのような不都合が生じないように遊技者が手を不自然な形で両球受け部間に挿入させられるのを強いられることもない。
これによって遊技者が下受け皿のパチンコ球を握って取り出す際に自然な形でパチンコ球を掴むことができ、手が両球受け部間に支えてパチンコ球を取り落としたり取り落とさないように気を使ったりする必要がなく遊技が中断されたり遊技の興趣がそがれたりといった問題が解消される。
（２）支持枠体と、同支持枠体に支持され少なくとも前面に大型遊技面が形成された遊技盤と遊技球発射機構が形成された遊技機本体と、同遊技機本体又は球貸し機から排出されたパチンコ球を受ける上受け皿が形成され同大型遊技面の下方に前方に突出して配置された第１の球受け部と、同遊技機本体又は上受け皿から排出された同パチンコ球を受ける下受け皿が形成され同第１の球受け部の下方に前方に突出して配置された第２の球受け部とを備え、前記第１の球受け部を遊技面の大型化に伴って下方に移動させ同第１の球受け部と第２の球受け部との間隔を通常の機種と比較して狭めたパチンコ遊技機において、前記第２の球受け部の下受け皿上方に前記第１の球受け部が配置されないように同第１及び第２の球受け部を互いに左右方向にずれた位置に配置したことをその要旨とする。
このように構成すると、遊技面が大型化することで第１の球受け部が下方に移動させられ、その結果第１の球受け部と第２の球受け部との間隔が通常の機種と比較して狭められることとなる。しかし、第１及び第２の球受け部を互いに左右方向にずれた位置とすることで第２の球受け部の下受け皿の上方が開放されるため下受け皿内のパチンコ球を握って取り出す際に第１の球受け部と第２の球受け部との間に手が当たったり引っかかったりすることがない。また、そのような不都合が生じないように遊技者が手を不自然な形で両球受け部間に挿入させられるのを強いられることもない。
従って遊技者が下受け皿のパチンコ球を握って取り出す際に自然な形でパチンコ球を掴むことができ、手が両球受け部間につかえてパチンコ球を取り落としたり取り落とさないように気を使ったりする必要がなく遊技が中断されたり遊技の興趣がそがれたりといった問題が解消される。
（３）前記第１の球受け部の下方には前記上受け皿から同パチンコ球の供給を受けることで前記遊技盤の大型遊技面に同パチンコ球を発射させる操作ハンドルを配置したことを特徴とする請求項１若しくは付記１又は２に記載のパチンコ遊技機。
（４）前記第１の球受け部の上受け皿には幅広の球溜まりと同球溜まりから遊技球発射機構に導く遊技球導入通路（上記実施の形態では狭窄通路）が形成されていることを特徴とする請求項１若しくは付記１〜３のいずれかに記載のパチンコ遊技機。
（５）  前記遊技球導入通路の全部あるいは一部は遊技者から見えない内部に格納されていることを特徴とする請求項１若しくは付記１〜４のいずれかに記載のパチンコ遊技機。
（６）前記切り欠き部は前記第１の球受け部の左右いずれかに配設された操作ハンドル側に形成されていることを特徴とする請求項１若しくは付記１〜５のいずれかに記載のパチンコ遊技機。
（７）前記切り欠き部がなだらかな曲面で構成されていることを特徴とする請求項１若しくは付記１〜６のいずれかに記載のパチンコ遊技機。
（８）前記第１の球受け部は扉枠と一体成形されていることを特徴とする請求項１若しくは付記１〜７のいずれかに記載のパチンコ遊技機。
【００１８】
【図面の簡単な説明】
【図１】本発明の実施の形態１のパチンコ遊技機の正面図。
【図２】同じく部分拡大斜視図。
【図３】同じく平面図。
【図４】外枠に対して扉枠及び遊技盤を開放した斜視図。
【図５】（ａ）は物を掴もうとする手の側面図、（ｂ）は物を掴んだ後の手の側面図。
【図６】無理な姿勢でものを掴もうとする手の側面図。
【図７】本発明の実施の形態２のパチンコ遊技機の正面図。
【図８】同じく部分拡大斜視図。
【符号の説明】
１…支持枠体としての外枠、４…パチンコ機本体、５…遊技盤、９…大型の遊技面、２１…第１の球受け部、２２…上受け皿、２７…第２の球受け部、２８…下受け皿、３２…操作ハンドル、４１…切り欠き部、４５…第１の球受け部、４６…上受け皿。